(57)【要約】【課題】凝縮器を分解しなくても、凝縮器内に付着した異物を除去することができるバイナリー発電用凝縮器の洗浄システムを提供することである。【解決手段】バイナリー発電システム１において作動媒体が循環する循環流路４に設けられる凝縮器６の洗浄システムＸ１であって、凝縮器６は、冷却媒体が流入する流入ヘッダ６ｂと、流入ヘッダ６ｂから冷却媒体が流入する複数の分岐口１１を有し且つ作動媒体と冷却媒体との熱交換を行って作動媒体を凝縮させる熱交換部６ａと、を有し、洗浄システムＸ１は、熱交換部６ａから流入ヘッダ６ｂに向かう方向に冷却媒体の流れを切り替える切替手段２６を備えている。【選択図】図３
2018054254.tif 000002
【特許請求の範囲】
【請求項１】
バイナリー発電システムにおいて作動媒体が循環する循環流路に設けられる凝縮器の洗浄システムであって、
前記凝縮器は、冷却媒体が流入する流入ヘッダと、前記流入ヘッダから前記冷却媒体が流入する複数の分岐口を有し且つ前記作動媒体と前記冷却媒体との熱交換を行って前記作動媒体を凝縮させる熱交換部と、を有し、
前記洗浄システムは、前記熱交換部から前記流入ヘッダに向かう方向に冷却媒体の流れを切り替える切替手段を備えている
バイナリー発電用凝縮器の洗浄システム。
【請求項２】
前記凝縮器の前記流入ヘッダに前記冷却媒体を流入させる第１配管と前記凝縮器から前記冷却媒体を流出させる第２配管とを接続する第３配管と、
前記第１配管の前記第３配管が接続される第１部位よりも前記流れ方向における下流側に位置する第２部位と前記第２配管の前記第３配管が接続される第３部位よりも前記流れ方向における下流側に位置する第４部位とを接続する第４配管と、を備え、
前記切替手段は、前記第１配管から前記凝縮器に前記冷却媒体が流入する第１状態から、前記第１配管から前記第３配管を経由して前記第２配管から前記凝縮器に前記冷却媒体が流入する第２状態に切り替える
請求項１に記載のバイナリー発電用凝縮器の洗浄システム。
【請求項３】
前記冷却媒体中の異物を前記冷却媒体から除去するストレーナーが前記第４配管に設けられている
請求項２に記載のバイナリー発電用凝縮器の洗浄システム。
【請求項４】
前記第１配管に設けられ、前記第１配管から前記凝縮器へ流入する前記冷却媒体の圧力を計測する第１圧力計と、
前記第２配管に設けられ、前記凝縮器から流出する前記冷却媒体の圧力を計測する第２圧力計と、を備える
請求項２又は３に記載のバイナリー発電用凝縮器の洗浄システム。
【請求項５】
前記第１圧力計により計測される圧力値と、前記第２圧力計により計測される圧力値との差が所定値を超えた場合に、前記第２状態になるように前切替手段を切り替える制御手段を備える
請求項４に記載のバイナリー発電用凝縮器の洗浄システム。
【請求項６】
前記制御手段は、前記第１圧力計により計測される圧力値と、前記第２圧力計により計測される圧力値との圧力差が前記所定値以下になった場合に、前記第１状態になるように前記切替手段を切り替える
請求項５に記載のバイナリー発電用凝縮器の洗浄システム。
【請求項７】
前記第１配管に設けられ、前記第１配管から前記凝縮器へ流入する前記冷却媒体の温度を計測する第１温度計４１と、
前記第２配管に設けられ、前記凝縮器から流出する前記冷却媒体の温度を計測する第２温度計４２と、を備える
請求項２又は３に記載のバイナリー発電用凝縮器の洗浄システム。
【請求項８】
前記第１温度計４１により計測される温度と、前記第２温度計４２により計測される温度との温度差が所定値を超えた場合に、前記第２状態になるように前記切替手段を切り替える制御手段を備える
請求項７に記載のバイナリー発電用凝縮器の洗浄システム。
【請求項９】
前記制御手段は、前記第１温度計４１により計測される温度と、前記第２温度計４２により計測される温度との温度差が前記所定値以下になった場合に、前記第１状態になるように前記切替手段を切り替える
請求項８に記載のバイナリー発電用凝縮器の洗浄システム。
【請求項１０】
バイナリー発電システムにおいて作動媒体が循環する循環流路に設けられる凝縮器の洗浄方法であって、
前記凝縮器は、冷却媒体が流入する流入ヘッダと、前記流入ヘッダから前記冷却媒体が流入する複数の分岐口を有し且つ前記作動媒体と前記冷却媒体との熱交換を行って前記作動媒体を凝縮させる熱交換部と、を有し、
前記洗浄システムは、前記熱交換部から前記流入ヘッダに向かう方向に冷却媒体の流れを切り替える切替工程を含む
バイナリー発電用凝縮器の洗浄方法。
【請求項１１】
前記凝縮器の前記流入ヘッダに前記冷却媒体を流入させる第１配管から分岐し、先端に第１継手を有する第１分岐配管と、
前記凝縮器から前記冷却媒体を流出させる第２配管から分岐し、先端に第２継手を有する第２分岐配管と、
前記第１配管の前記第１分岐配管が分岐する第１部位よりも前記冷却媒体の流れ方向における下流側の第２部位から分岐し、先端に第３継手を有する第３分岐配管と、
前記第２配管の前記第２分岐配管が分岐する第３部位よりも前記冷却媒体の流れ方向における下流側の第４部位から分岐し、先端に第４継手を有する第４分岐配管と、
前記第１配管の前記第１部位と前記第２部位との間の前記冷却媒体の流れを止め、且つ、前記第２配管の前記第３部位と前記第４部位との間の前記冷却媒体の流れを止める切替手段と、を備え、
前記第１分岐配管と前記第２分岐配管とを前記第１継手および前記第２継手を介して第３配管により接続する第１工程と、
前記第３分岐配管と前記第４分岐配管とを前記第３継手および前記第４継手を介して第４配管により接続する第２工程と、
前記切替手段により、前記第１配管から前記凝縮器に前記冷却媒体が流入する第１状態から、前記第１配管から前記第３配管を経由して前記第２配管から前記凝縮器に前記冷却媒体が流入する第２状態に切り替える第３工程と、を含む
請求項１０に記載のバイナリー発電用凝縮器の洗浄方法。
【発明の詳細な説明】
【技術分野】
【０００１】
本発明は、バイナリー発電用凝縮器の洗浄システム及びバイナリー発電用凝縮器の
洗浄方法に関連する。
【背景技術】
【０００２】
近年、炭化水素やアンモニアなどの低沸点作動媒体の蒸気を利用して発電するバイナリー発電システムが知られている。このようなバイナリー発電システムは、タービンを回転駆動した後の前記低沸点作動媒体を液化させるために凝縮器が使用されている。前記凝縮器では、前記低沸点作動媒体と熱交換させる冷却媒体として外部から取り込んだ海水や河川水が用いられている（例えば、特許文献１参照）。
【０００３】
ここで、前記凝縮器は、冷却媒体が流入する流入ヘッダと、前記流入ヘッダから前記冷却媒体が流入する複数の分岐口を有し且つ前記作動媒体と前記冷却媒体との熱交換を行って前記作動媒体を凝縮させる熱交換部と、を備える。前記流入ヘッダの前記分岐口が開口する面は、前記冷却媒体の流れ方向の力、すなわち、前記面に対して押し付ける方向の力が作用しやすいので、前記面の前記分岐口の周辺には異物が付着しやすい。
【０００４】
特に、冷却媒体として海水や河川水が用いられる場合は、海洋生物が冷却媒体に含まれる可能性があるので、前記面の前記分岐口の周辺に海洋生物等の異物が付着しやすい。そのため、異物によって凝縮器内の冷却媒体の流路が塞がれ、凝縮器の熱交換性能が低下してしまうことがある。したがって、凝縮器は定期的に分解され、洗浄されている。しかしながら、凝縮器を分解して洗浄する作業は煩雑である。
【先行技術文献】
【特許文献】
【０００５】
【特許文献１】特開２０１６−００８０４２
【発明の概要】
【発明が解決しようとする課題】
【０００６】
そこで、本発明は、上記の課題に基づいてなされたものであり、その目的は、凝縮器を分解しなくても、凝縮器内に付着した異物を除去することができるバイナリー発電用凝縮器の洗浄システム及びバイナリー発電用凝縮器の洗浄方法を提供することである。
【課題を解決するための手段】
【０００７】
本発明に係るバイナリー発電用凝縮器の洗浄システムは、バイナリー発電システムにおいて作動媒体が循環する循環流路に設けられる凝縮器の洗浄システムである。前記凝縮器は、冷却媒体が流入する流入ヘッダと、前記流入ヘッダから前記冷却媒体が流入する複数の分岐口を有し且つ前記作動媒体と前記冷却媒体との熱交換を行って前記作動媒体を凝縮させる熱交換部と、を有する。前記洗浄システムは、前記熱交換部から前記流入ヘッダに向かう方向に冷却媒体の流れを切り替える切替手段を備えている。
【０００８】
この構成によれば、前記洗浄システムは、前記熱交換部から前記流入ヘッダに向かう方向に冷却媒体の流れを切り替える切替手段を備えている。そのため、前記流入ヘッダの前記分岐口が開口する面の前記分岐口の周辺に付着した異物に冷却媒体によって前記分岐口から引き離す方向の力を作用させることができる。そのため、前記分岐口の周辺に付着した異物が分離しやすくなり、凝縮器を分解しなくても異物の除去が可能になる。
【０００９】
上記構成において、前記凝縮器の前記流入ヘッダに前記冷却媒体を流入させる第１配管を備えてもよい。前記凝縮器から前記冷却媒体を流出させる第２配管を備えてもよい。前記第１配管と前記第２配管とを接続する第３配管を備えてもよい。前記第１配管の前記第３配管が接続される第１部位よりも前記流れ方向における下流側に位置する第２部位と前記第２配管の前記第３配管が接続される第３部位よりも前記流れ方向における下流側に位置する第４部位とを接続する第４配管を備えてもよい。前記切替手段は、前記第１配管から前記凝縮器に前記冷却媒体が流入する第１状態から、前記第１配管から前記第３配管を経由して前記第２配管から前記凝縮器に前記冷却媒体が流入する第２状態に切り替えてもよい。
【００１０】
この構成によれば、前記切替手段は、前記第１配管から前記凝縮器に前記冷却媒体が流入する第１状態から、前記第１配管から前記第３配管を経由して前記第２配管から前記凝縮器に前記冷却媒体が流入する第１状態に切り替える。そのため、簡単な構成で前記熱交換部から前記流入ヘッダに向かう方向に冷却媒体の流れが切り替えられる。
【００１１】
上記構成において、前記冷却媒体中の異物を前記冷却媒体から除去するストレーナーが前記第４配管に設けられていてもよい。
【００１２】
この構成によれば、前記分岐口の周辺から分離した異物がストレーナーで捕獲されるので、異物の除去作業がより簡単になる。
【００１３】
上記構成において、前記第１配管に設けられ、前記第１配管から前記凝縮器へ流入する前記冷却媒体の圧力を計測する第１圧力計を備えてもよい。前記第２配管に設けられ、前記凝縮器から流出する前記冷却媒体の圧力を計測する第２圧力計を備えてもよい。
【００１４】
この構成によれば、作業者は、前記第１圧力計により計測された圧力値と前記第２圧力計により計測された圧力値との圧力差に基づいて凝縮器内の冷却媒体の流路に目詰まりが生じたかどうかを認識することができる。凝縮器内の冷却媒体の流路に目詰まりが生じてくると、凝縮器内の冷却媒体の入口側の圧力が大きくなり、出口側の圧力が小さくなっていくからである。
【００１５】
上記構成において、前記第１圧力計により計測される圧力値と、前記第２圧力計により計測される圧力値との圧力差が所定値を超えた場合に、前記第２状態になるように前記切替手段を切り替える制御手段を備えてもよい。
【００１６】
上記構成によれば、前記第１圧力計により計測される圧力値と、前記第２圧力計により計測される圧力値との圧力差が所定値を超えた場合に、制御手段によって前記第２状態へ自動で切り替えられる。そのため、作業者による前記第２状態への切替操作の必要がなくなる。
【００１７】
上記構成において、前記制御手段は、前記第１圧力計により計測される圧力値と、前記第２圧力計により計測される圧力値との圧力差が前記所定値以下になった場合に、前記第１状態になるように前記切替手段を切り替えてもよい。
【００１８】
この構成によれば、前記第１圧力計により計測される圧力値と、前記第２圧力計により計測される圧力値との圧力差が前記所定値以下になった場合に、制御手段によって前記第１状態へ自動で切り替えられる。そのため、作業者による前記第１状態への切替操作の必要がなくなる。
【００１９】
上記構成において、前記第１配管に設けられ、前記第１配管から前記凝縮器へ流入する前記冷却媒体の温度を計測する第１温度計と、前記第２配管に設けられ、前記凝縮器から流出する前記冷却媒体の温度を計測する第２温度計と、を備えてもよい。
【００２０】
この構成によれば、作業者は、前記第１温度計により計測された温度と前記第２温度計により計測された温度との温度差に基づいて凝縮器内の冷却媒体の流路に目詰まりが生じたかどうかを認識することができる。凝縮器内の冷却媒体の流路に目詰まりが生じてくると、冷却媒体の流量が小さくなり、凝縮器の出口側において冷却媒体の温度が高くなっていくからである。
【００２１】
上記構成において、前記第１温度計により計測される温度と、前記第２温度計により計測される温度との温度差が所定値を超えた場合に、前記第２状態に切り替える制御手段を備えてもよい。
【００２２】
この構成によれば、前記第１温度計により計測される温度と、前記第２温度計により計測される温度との温度差が所定値を超えた場合に、制御手段によって前記第２状態へ自動で切り替えられる。そのため、作業者による前記第２状態への切替操作の必要がなくなる。
【００２３】
上記構成において、前記制御手段は、前記第１温度計により計測される温度と、前記第２温度計により計測される温度との温度差が前記所定値以下になった場合に、前記第１状態に切り替えてもよい。
【００２４】
この構成によれば、前記第１温度計により計測される温度と、前記第２温度計により計測される温度との温度差が前記所定値以下になった場合に、前記制御手段によって冷却媒体の流れが前記第１状態へ自動で切り替えられる。そのため、作業者による前記第１状態への切替操作の必要がなくなる。
【００２５】
本発明に係るバイナリー発電用凝縮器の洗浄方法は、バイナリー発電システムにおいて作動媒体が循環する循環流路に設けられる凝縮器の洗浄方法である。前記凝縮器は、冷却媒体が流入する流入ヘッダと、前記流入ヘッダから前記冷却媒体が流入する複数の分岐口を有し且つ前記作動媒体と前記冷却媒体との熱交換を行って前記作動媒体を凝縮させる熱交換部と、を有する。前記洗浄システムは、前記熱交換部から前記流入ヘッダに向かう方向に冷却媒体の流れを切り替える切替工程を含む。
【００２６】
この構成によれば、前記洗浄システムは、前記熱交換部から前記流入ヘッダに向かう方向に冷却媒体の流れを切り替える切替工程を含むので、切替工程により、分岐口の周辺に付着した異物に分岐口から引き離す方向の力を作用させることができる。そのため、分岐口の周辺に付着した異物が分離しやすくなり、凝縮器を分解しなくても異物の除去が可能になる。
【００２７】
上記構成において、前記凝縮器の前記流入ヘッダに前記冷却媒体を流入させる第１配管から分岐し、先端に第１継手を有する第１分岐配管を備えてもよい。前記凝縮器から前記冷却媒体を流出させる第２配管から分岐し、先端に第２継手を有する第２分岐配管を備えてもよい。前記第１配管の前記第１分岐配管が分岐する第１部位よりも前記冷却媒体の流れ方向における下流側の第２部位から分岐し、先端に第３継手を有する第３分岐配管を備えてもよい。前記第２配管の前記第２分岐配管が分岐する第３部位よりも前記冷却媒体の流れ方向における下流側の第４部位から分岐し、先端に第４継手を有する第４分岐配管を備えてもよい。前記第１配管の前記第１部位と前記第２部位との間の前記冷却媒体の流れを止め、且つ、前記第２配管の前記第３部位と前記第４部位との間の前記冷却媒体の流れを止める切替手段を備えてもよい。前記第１分岐配管と前記第２分岐配管とを前記第１継手および前記第２継手を介して第３配管により接続する第１工程を含んでもよい。前記第３分岐配管と前記第４分岐配管とを前記第３継手および前記第４継手を介して第４配管により接続する第２工程を含んでもよい。前記切替手段により、前記第１配管から前記凝縮器に前記冷却媒体が流入する第１状態から、前記第１配管から前記第３配管を経由して前記第２配管から前記凝縮器に前記冷却媒体が流入する第２状態に切り替える第３工程を含んでもよい。
【００２８】
この構成によれば、前記第１工程から前記第３工程を経ることにより、前記熱交換部から前記流入ヘッダに向かう方向に冷却媒体の流れを切り替えることができるので、分岐口の周辺に付着した異物に分岐口から引き離す方向の力を作用させることができる。そのため、分岐口の周辺に付着した異物が分離しやすくなり、凝縮器を分解しなくても異物の除去が可能になる。
【発明の効果】
【００２９】
本発明によれば、前記凝縮器を流れる前記冷却媒体の流れ方向を逆方向に切り替える切替手段を備えているので、前記冷却媒体の流れ方向を逆方向に切り替えることにより、分岐口の周辺に付着した異物に、分岐口から引き離す方向の力を作用させることができる。そのため、分岐口の周辺に付着した異物が分離しやすくなり、凝縮器を分解しなくても異物の除去が可能になる。
【図面の簡単な説明】
【００３０】
【図１】第１の実施形態に係るバイナリー発電用凝縮器の洗浄システムが使用されるバイナリー発電システムを示す概略構成図である。
【図２】第１の実施形態に係るバイナリー発電用凝縮器の洗浄システムに用いられる凝縮器を示す概略構成図である。
【図３】第１の実施形態に係るバイナリー発電用凝縮器の洗浄システムの通常運転時を示す概略構成図である。
【図４】第１の実施形態に係るバイナリー発電用凝縮器の洗浄システムの凝縮器の洗浄時を示す概略構成図である。
【図５】第２の実施形態に係るバイナリー発電用凝縮器の洗浄システムの通常運転時を示す概略構成図である。
【図６】第２の実施形態に係るバイナリー発電用凝縮器の洗浄システムの凝縮器の洗浄時を示す概略構成図である。
【図７】第２の実施形態に係るバイナリー発電用凝縮器の洗浄システムにおける制御手段の制御動作を説明するための図である。
【図８】第３の実施形態に係るバイナリー発電用凝縮器の洗浄システムの通常運転時を示す概略構成図である。
【図９】第３の実施形態に係るバイナリー発電用凝縮器の洗浄システムの凝縮器の洗浄時を示す概略構成図である。
【図１０】第３の実施形態に係るバイナリー発電用凝縮器の洗浄システムにおける制御手段の制御動作を説明するための図である。
【図１１】第４の実施形態に係るバイナリー発電用凝縮器の洗浄システムの凝縮器の通常運転時を示す概略構成図である。
【図１２】第４の実施形態に係るバイナリー発電用凝縮器の洗浄方法の凝縮器の洗浄時を示す概略構成図である。
【図１３】第５の実施形態に係るバイナリー発電用凝縮器の洗浄方法の凝縮器の通常運転時を示す概略構成図である。
【図１４】第５の実施形態に係るバイナリー発電用凝縮器の洗浄方法の凝縮器の洗浄時を示す概略構成図である。
【発明を実施するための形態】
【００３１】
以下、本発明の各実施形態について、図面を参照しながら説明する。但し、以下で参照する各図は、説明の便宜上、本発明の各実施形態に係るバイナリー発電用凝縮器の洗浄システムを説明するために必要となる主要な構成要素を簡略化して示したものである。したがって、本発明の各実施形態に係るバイナリー発電用凝縮器の洗浄システムは、本明細書が参照する各図に示されていない任意の構成要素を備え得る。
【００３２】
（第１の実施形態）
図１は、例示的なバイナリー発電用凝縮器の洗浄システムが使用されるバイナリー発電システム１を示す概略構成図である。バイナリー発電システム１は、ランキンサイクルを利用した発電システムであり、凝縮器６と、循環ポンプ８と、加熱器１０と、膨張機１４とを備えている。凝縮器６、循環ポンプ８、加熱器１０及び膨張機１４はこの順で循環流路４に設けられている。バイナリー発電システム１では、作動媒体が循環流路４を通じて加熱器１０、膨張機１４、凝縮器６及び循環ポンプ８を順に流れるという循環回路が構成されている。作動媒体としては、水よりも沸点の低い冷媒が用いられる。
【００３３】
循環ポンプ８は、循環流路４における凝縮器６の下流側（加熱器１０と凝縮器６との間）に設けられており、循環流路４内で作動媒体を循環させるためのものである。循環ポンプ８は、凝縮器６で凝縮された液状の作動媒体を所定の圧力まで加圧して加熱器１０に送り出す。循環ポンプ８として、インペラをロータとして備える遠心ポンプや、ロータが一対のギアからなるギアポンプ等が用いられる。循環ポンプ８は、コントローラ３０によって駆動制御が行われる。コントローラ３０の機能には、ポンプ制御手段３０ａが含まれている。ポンプ制御手段３０ａは、循環ポンプ８の回転数を制御する手段であり、作動媒体の過熱度が予め設定された範囲内に収まるように循環ポンプ８を駆動制御したり、循環ポンプ８の動作をon/offしたりする。
【００３４】
加熱器１０は、循環流路４における循環ポンプ８の下流側（循環ポンプ８と膨張機１４との間）に設けられている。加熱器１０は、作動媒体が流れる作動媒体流路１０ａと、熱源媒体が流れる熱源媒体流路１０ｂとを有している。熱源媒体流路１０ｂは熱源媒体回路６２に接続されていて、この熱源媒体流路１０ｂには、外部の熱源から供給された熱源媒体が流れる。作動媒体流路１０ａを流れる作動媒体は、熱源媒体流路１０ｂを流れる熱源媒体と熱交換して蒸発する。熱源媒体としては、例えば温水、水蒸気等が挙げられる。
【００３５】
膨張機１４には発電機１６が接続されている。膨張機１４においてガス状の作動媒体を膨張させることにより、発電機１６を駆動する力を取り出すことができる。
【００３６】
図２は、例示的なバイナリー発電用凝縮器６の洗浄システムＸ１に用いられる凝縮器６を示す概略構成図である。凝縮器６は、膨張機１４から排出されたガス状の作動媒体を凝縮させて液状の作動媒体とするものである。凝縮器６は、作動媒体と冷却媒体との熱交換を行って作動媒体を凝縮させる熱交換部６ａと、冷却媒体を熱交換部６ａに流入させる流入ヘッダ６ｂと、熱交換部６ａを流れた冷却媒体が流出する流出ヘッダ６ｃと、を有する。なお、凝縮器６は、熱交換部６ａの後述する複数の分岐口が開口する流入ヘッダを備えるものであれば、プレート式、シェル＆チューブ式、フィンチューブ式のいずれの形式のものも使用することができる。
【００３７】
熱交換部６ａは、ガス状の作動媒体が流れる作動媒体流路Ｓ１と冷却媒体が流れる冷却媒体流路Ｓ２とが上下方向に交互に並ぶように形成されている。作動媒体の流れ方向と冷却媒体の流れ方向は９０度相違している。熱交換部６ａは、流入ヘッダ６ｂから冷却媒体を流入させる複数の分岐口１１と、流入ヘッダ６ｂへ冷却媒体を流出させる複数の合流口１２と、を有する。
【００３８】
流入ヘッダ６ｂは、冷却媒体の流れ方向に対して垂直な方向に長くなるように形成されている。流入ヘッダ６ｂの冷却媒体の流れ方向の上流側の面１３には、冷却媒体の流入口１７が形成されている。流入口１７には、冷却媒体の供給源から流入ヘッダ６ｂに冷却媒体を流入させる第１配管１８が接続されている。冷却媒体の供給源（図示省略）としては、海水や河川水などが挙げられる。流入ヘッダ６ｂの冷却媒体の流れ方向の下流側の面１９には、複数の分岐口１１が間隔を空けて開口している。
【００３９】
流出ヘッダ６ｃは、冷却媒体の流れ方向に対して垂直な方向に長くなるように形成されている。流出ヘッダ６ｃの冷却媒体の流れ方向の上流側の面２０には、複数の合流口１２が開口している。流出ヘッダ６ｃの冷却媒体の流れ方向の下流側の面２１には、冷却媒体の流出口２２が形成されている。流出口２２には、流出ヘッダ６ｃから冷却媒体の供給源に冷却媒体を流出させる第２配管２３が接続されている。
【００４０】
ここで、バイナリー発電システム１の運転動作について説明する。循環ポンプ８が駆動されると、循環ポンプ８から送出された液状の作動媒体は、加熱器１０の作動媒体流路１０ａに流入する。この作動媒体は、熱源媒体流路１０ｂを流れる熱源媒体によって加熱されて蒸発する。加熱器１０で蒸発した作動媒体は、膨張機１４に導入される。作動媒体が膨張機１４内に導入されることにより、膨張機１４が回転駆動され、それによって発電機１６が駆動されて発電が行われる。膨張機１４内で膨張した作動媒体は、循環流路４に排出される。膨張機１４から排出されたガス状の作動媒体は、凝縮器６の作動媒体流路Ｓ１に導入される。凝縮器６においては、作動媒体は、冷却媒体流路Ｓ２を流れる冷却媒体によって冷却されて凝縮する。この液状の作動媒体は、循環流路４を流れて循環ポンプ８に吸入される。循環流路４では、このような循環が繰り返されて発電機１６において発電が行われる。
【００４１】
図３は、例示的なバイナリー発電用凝縮器６の洗浄システムＸ１の通常運転時を示す概略構成図である。バイナリー発電用凝縮器６の洗浄システムＸ１は、第３配管２４と第４配管２５とを備える。第３配管２４は、第１配管１８と第２配管２３とを接続する。第４配管２５は、第１配管１８の第３配管２４が接続される第１部位ａよりも冷却媒体の流れ方向における下流側に位置する第２部位ｂと、第２配管２３の第３配管２４が接続される第３部位ｃよりも冷却媒体の流れ方向における下流側に位置する第４部位ｄと、を接続する。さらに、バイナリー発電用凝縮器６の洗浄システムＸ１は、熱交換部６ａから流入ヘッダ６ｂに向かう方向に冷却媒体の流れを切り替える切替手段２６と、冷却媒体中の異物ｅを冷却媒体から除去するストレーナー２７と、を有する。
【００４２】
切替手段２６は、第１配管１８の第１部位ａと第２部位ｂとの間に設けられた第１開閉弁２６ａと、第２配管２３の第３部位ｃと第４部位ｄとの間に設けられた第２開閉弁２６ｂと、第３配管２４に設けられた第３開閉弁２６ｃと、第４配管２５に設けられた第４開閉弁２６ｄと、を有する。切替手段２６は、第１配管１８から凝縮器６に冷却媒体が流入する第１状態から、第１配管１８から第３配管２４を経由して第２配管２３から凝縮器６に冷却媒体が流入する第２状態に切り替えることができる。具体的には、切替手段２６は、第１開閉弁２６ａと第２開閉弁２６ｂを開き、第３開閉弁２６ｃと第４開閉弁２６ｄを閉じることにより前記第１状態を実現し、第１開閉弁２６ａと第２開閉弁２６ｂを閉じ、第３開閉弁２６ｃと第４開閉弁２６ｄを開くことにより前記第２状態を実現する。第１〜第４開閉弁２６ａ〜ｄは、人手で流体の流路を開閉する手動バルブを使用することができる。
【００４３】
第１の実施形態のバイナリー発電用凝縮器６の洗浄システムＸ１は、次のようにして動作する。作業者は、通常運転時において冷却媒体の流れを前記第１状態にするため、第１開閉弁２６ａと第２開閉弁２６ｂとを開き、第３開閉弁２６ｃと第４開閉弁２６ｄとを閉じておく。そうすると、冷却媒体の流れは、第１配管１８から凝縮器６に流入して第２配管２３へ流出する前記第１状態になる。
【００４４】
ここで、図２に示すように、流入ヘッダ６ｂの冷却媒体の流れ方向の下流側の面１９には、冷却媒体の流れ方向の力、すなわち、面に異物ｅを押し付ける方向の力が作用しやすい。そのため、流入ヘッダ６ｂの冷却媒体の流れ方向の下流側の面１９には、冷却媒体中に含まれる異物ｅが付着しやすい。
【００４５】
図４は、例示的なバイナリー発電用凝縮器６の洗浄システムＸ１の凝縮器６の洗浄時を示す概略構成図である。通常運転時において一定時間が経過すると、作業者は、冷却媒体の流れを前記第２状態にするため、第１開閉弁２６ａと第２開閉弁２６ｂとを閉じ、第３開閉弁２６ｃと第４開閉弁２６ｄとを開く。そうすると、冷却媒体は、第１配管１８から第３配管２４を経由して第２配管２３から凝縮器６に流入し、第１配管１８へ流出する。第１配管１８へ流出した冷却媒体は、第４配管２５を経由して第２配管２３へ流れる。
【００４６】
このとき、凝縮器６内の冷却媒体は、図２に示すように、熱交換部６ａから流入ヘッダ６ｂに向かう方向に流れるので、流入ヘッダ６ｂの冷却媒体の流れ方向の下流側の面１９の分岐口１１の周辺に付着している異物ｅに分岐口１１から引き離す方向の力が作用する。そのため、流入ヘッダ６ｂの冷却媒体の流れ方向の下流側の面の分岐口１１の周辺に付着している異物ｅが分岐口１１の周辺から容易に分離する。したがって、凝縮器６を分解しなくても異物ｅの除去が可能である。
【００４７】
分岐口１１の周辺から分離した異物ｅは、冷却媒体とともに第１配管１８へ流出した後、第４配管２５を流れる。このとき、ストレーナー２７によって冷却媒体中の異物ｅが冷却媒体から除去される。そのため、異物ｅの除去作業が簡単である。
【００４８】
（第２の実施形態）
次に、第２の実施形態に係るバイナリー発電用凝縮器６の洗浄システムＸ２について図５、図６を参照しながら説明する。第２の実施形態では、第１の実施形態と異なる部分についてのみ説明を行い、第１の実施形態と同じ構成部分には第１の実施形態と同一の符号を付して説明を省略する。
【００４９】
図５は、例示的なバイナリー発電用凝縮器の洗浄システムＸ２の通常運転時を示す概略構成図である。図６は、例示的なバイナリー発電用凝縮器６の洗浄システムＸ２の凝縮器６の洗浄時を示す概略構成図である。第２の実施形態のバイナリー発電用凝縮器６の洗浄システムＸ２は、第１圧力計３１と、第２圧力計３２と、切替手段３３と、制御手段３４と、を備える。第２実施形態の切替手段３３は、電気信号に基づいて流体の流路を開閉する自動バルブが使用される点で、人手で流体の流路を開閉する手動バルブが使用される第１の実施形態と相違する。その他の点において、第２実施形態の切替手段３３は第１の実施形態と同様の構成を備える。
【００５０】
第１圧力計３１は、第１配管１８から凝縮器６へ流入する冷却媒体の圧力を計測する第１圧力センサー（図示せず）を備え、第１配管１８に設けられている。第２圧力計３２は、凝縮器６から流出する冷却媒体の圧力を計測する第２圧力センサー（図示せず）を備え、第２配管２３に設けられている。第１圧力センサーと第２圧力センサーは、計測された圧力値を電気信号として制御手段３４に出力する。
【００５１】
制御手段３４は、第１圧力計３１により計測される圧力値と、第２圧力計３２により計測される圧力値との圧力差が所定値を超えた場合に、冷却媒体の流れが前記第２状態になるように切替手段３３を切り替える。さらに、制御手段３４は、第１圧力計３１により計測される圧力値と、第２圧力計３２により計測される圧力値との圧力差が所定値以下になった場合に、前記冷却媒体の流れが前記第１状態になるように切替手段３３を切り替える。所定値は、冷却媒体を移送するポンプの圧力、圧力損失などを勘案し、実際に凝縮器６内の冷却媒体の流路に目詰まりが生じたときに想定される圧力差を基準に適宜設定することができる。例えば、所定値は、第２圧力計３２により計測される圧力値が第１圧力計３１により計測される圧力値の半分になったときの圧力差に設定することができる。
【００５２】
図７は、例示的なバイナリー発電用凝縮器６の洗浄システムＸ２における制御手段３４の制御動作を説明するための図である。制御手段３４は、第１圧力センサーと第２圧力センサーからの電気信号を受け取る（ステップＳＴ１）。ステップＳＴ１で電気信号を受け取った制御手段３４は、第１圧力センサーにより計測された圧力値から第２圧力センサーにより計測された圧力値を引いて圧力差を求める（ステップＳＴ２）。圧力差を求めた制御手段３４は、該圧力差が所定値以下であるか否かを判断し、該圧力差が所定値以下であると判断した場合（Ｙｅｓ）、処理をＳＴ４へ進める（ステップＳＴ３）。一方、制御手段３４は、該圧力差が所定値を超えていると判断した場合（Ｎｏ）、処理をステップＳＴ６へ進める（ステップＳＴ３）。
【００５３】
ステップＳＴ４において、制御手段３４は、現在の冷却媒体の流れが前記第１状態にあるか否かを判断し、現在の冷却媒体の流れが前記第１状態であると判断した場合（Ｙｅｓ）、処理をＳＴ１に戻す（ステップＴ４）。一方、制御手段３４は、現在の冷却媒体の流れが前記第２状態であると判断した場合（Ｎｏ）、処理をステップＳＴ５へ進める（ステップＳＴ４）。ステップＳＴ５において、制御手段３４は、冷却媒体の流れを前記第１状態に切り替える制御信号を第１〜第４開閉弁２６ａ〜ｄに対して送る（ステップＳＴ５）。すなわち、制御手段３４は、第１開閉弁２６ａと第２開閉弁２６ｂに対し冷却媒体の流路を開く制御信号を送り、第３開閉弁２６ｃと第４開閉弁２６ｄに対し冷却媒体の流路を閉じる制御信号を送る。これにより、第１開閉弁２６ａと第２開閉弁２６ｂは冷却媒体の流路を閉じ、第３開閉弁２６ｃと第４開閉弁２６ｄは冷却媒体の流路を開く。このようにして、冷却媒体の流れが前記第２状態から前記第１状態へ切り替えられる。冷却媒体の流れが前記第２状態から前記第１状態へ切り替えられると、制御手段３４は処理をステップＳＴ１へ戻す（ステップＳＴ５）。
【００５４】
ステップＳＴ６において、制御手段３４は、現在の冷却媒体の流れが前記第２状態にあるか否かを判断し、現在の冷却媒体の流れが前記第２状態であると判断した場合（Ｙｅｓ）、処理をステップＳＴ１に戻す（ステップＳＴ６）。一方、制御手段３４は、現在の冷却媒体の流れが前記第１状態であると判断した場合（Ｎｏ）、処理をステップＳＴ７へ進める（ステップＳＴ６）。ステップＳＴ７において、制御手段３４は、冷却媒体の流れを前記第２状態に切り替える制御信号を第１〜第４開閉弁２６ａ〜ｄに対して送る（ステップＳＴ７）。すなわち、制御手段３４は、第１開閉弁２６ａと第２開閉弁２６ｂに対し冷却媒体の流路を閉じる制御信号を送り、第３開閉弁２６ｃと第４開閉弁２６ｄに対し冷却媒体の流路を開く制御信号を送る。これにより、第１開閉弁２６ａと第２開閉弁２６ｂは冷却媒体の流路を閉じ、第３開閉弁２６ｃと第４開閉弁２６ｄは冷却媒体の流路を開く。このようにして、冷却媒体の流れが前記第１状態から前記第２状態へ切り替えられる。冷却媒体の流れが前記第１状態から前記第２状態へ切り替えられると、制御手段３４は処理をステップＳＴ１へ戻す（ステップＳＴ７）。制御手段３４は、第２の実施形態のバイナリー発電用凝縮器６の洗浄システムＸ２の電源がoffになるまで、ステップＳＴ１〜ステップＳＴ７の処理を繰り返す。
【００５５】
第２の実施形態のバイナリー発電用凝縮器６の洗浄システムＸ２は、凝縮器６内の冷却媒体の流路に目詰まりが生じた場合、第１配管１８から第３配管２４を経由して第２配管２３から凝縮器６に冷却媒体が流れる前記第２状態に自動で切り替わる。そのため、分岐口１１の周辺に付着した異物ｅが自動で分離されるので、凝縮器６を分解しなくても異物の除去が可能である。
【００５６】
第２の実施形態のバイナリー発電用凝縮器６の洗浄システムＸ２は、第１圧力計３１により計測される圧力値と、第２圧力計３２により計測される圧力値との圧力差が所定値以下になった場合、第１配管１８から凝縮器６を経由して第２配管２３に冷却媒体が流れる前記第１状態に自動で切り替わる。そのため、凝縮器６内の冷却媒体の流路の目詰まりが解消されたときに、作業者による前記第１状態への切替操作の必要がない。
【００５７】
第２の実施形態のバイナリー発電用凝縮器６の洗浄システムには、第１圧力計３１と第２圧力計３２が設けられたが、第１圧力計３１と第２圧力計３２は設けていなくてもよい。この場合、作業者は、第１圧力計３１により計測される圧力値と第２圧力計３２により計測される圧力値との圧力差に基づいて凝縮器６内の冷却媒体の流路に目詰まりが生じたかどうかを判断する。作業者は、凝縮器６内の冷却媒体の流路に目詰まりが生じていると判断した場合、冷却媒体の流れが前記第２状態になるように手動で第１〜第４開閉弁２６ａ〜ｄの切替操作を行う。同様に、作業者は、該圧力差に基づいて凝縮器６内の冷却媒体の流路の目詰まりが解消されたと判断した場合、冷却媒体の流れが前記第１状態になるように手動で第１〜第４開閉弁２６ａ〜ｄの切替操作を行う。この場合、第１〜第４開閉弁２６ａ〜ｄは手動バルブが用いられる。
【００５８】
制御手段３４は、圧力差に基づいて前記第１状態と前記第２状態とに切り替える制御をしたが、圧力比に基づいて前記第１状態と前記第２状態とに切り替える制御をするようにしてもよい。
【００５９】
（第３の実施形態）
図８は、例示的なバイナリー発電用凝縮器６の洗浄システムＸ３の通常運転時を示す概略構成図である。図９は、例示的なバイナリー発電用凝縮器６の洗浄システムの凝縮器６の洗浄時を示す概略構成図である。第３の実施形態のバイナリー発電用凝縮器６の洗浄システムＸ３は、第２の実施形態の第１圧力計３１と第２圧力計３２に代えて、第１配管１８から凝縮器６へ流入する冷却媒体の温度を計測する第１温度計４１と、凝縮器６から流出する冷却媒体の温度を計測する第２温度計４２と、を備えている。さらに、第３の実施形態のバイナリー発電用凝縮器６の洗浄システムＸ３は、第２実施形態の制御手段３４に代えて、制御手段４３を備えている。その他の構成は、第２の実施形態と同様の構成を備えているので、第２の実施形態と同一の符号を付して説明を省略する。
【００６０】
第１温度計４１は、第１配管１８から凝縮器６へ流入する冷却媒体の温度を計測する第１温度センサー（図示せず）を備え、第１配管１８に設けられている。第２温度計４２は、凝縮器６から流出する冷却媒体の圧力を計測する第２温度センサー（図示せず）を備え、第２配管２３に設けられている。第１圧力センサーと第２温度センサーは、計測された温度を電気信号として制御手段４３に出力する。
【００６１】
制御手段４３は、第１温度計４１により計測される温度と、第２温度計４２により計測される温度の温度差が所定値を超えた場合に、冷却媒体の流れが前記第２状態になるように切替手段を切り替える。さらに、制御手段４３は、第１温度計４１により計測される温度と、第２温度計４２により計測される温度との温度差が所定値以下になった場合に、前記冷却媒体の流れが前記第１状態になるように切替手段を切り替える。所定値は、冷却媒体の比熱、冷却媒体と熱交換する作動媒体の温度などを勘案し、実際に凝縮器６内の冷却媒体の流路に目詰まりが生じたときに想定される温度を基準に適宜設定することができる。例えば、所定値は、第２温度計４２により計測される温度が第１温度計４１により計測される温度の２倍になったときの温度差に設定することができる。
【００６２】
図１０は、例示的なバイナリー発電用凝縮器６の洗浄システムにおける制御手段４３の制御動作を説明するための図である。制御手段４３は、第１温度センサーと第２温度センサーからの電気信号を受け取ると、第２温度センサーにより計測された温度から第１温度センサーにより計測された温度を引いて温度差を求める（ステップＳＴ８）。その他のステップについては、第２実施形態と同様のステップを取るため、その説明を省略する。
【００６３】
第３の実施形態のバイナリー発電用凝縮器６の洗浄システムによれば、第１温度計４１により計測される温度と、第２温度計４２により計測される温度の温度差が所定値を超えた場合、冷却媒体の流れが自動で前記第２状態に切り替えられる。そのため、分岐口１１の周辺に付着した異物ｅが自動で分離されるので、凝縮器６を分解しなくても異物の除去が可能である。
【００６４】
第３の実施形態のバイナリー発電用凝縮器６の洗浄システムによれば、第１温度計４１により計測される温度と、第２温度計４２により計測される温度との温度差が所定値以下になった場合、冷却媒体の流れが自動で前記第１状態に切り替えられる。そのため、凝縮器６内の冷却媒体の流路の目詰まりが解消されたときに、作業者による前記第１状態への切替操作の必要がない。
【００６５】
第３の実施形態のバイナリー発電用凝縮器６の洗浄システムには、第１温度計４１と第２温度計４２が設けられたが、第１温度計４１と第２温度計４２は設けていなくてもよい。この場合の作業者による前記第１状態から前記第２状態への切替操作は、第２の実施形態における第１圧力計３１と第２圧力計３２を設けていない場合と同様の操作である。
【００６６】
第２および第３の実施形態のバイナリー発電用凝縮器６の洗浄システムＸ２、Ｘ３では、所定値は、圧力差または温度差に基づいて設定したが、流量差に基づいて設定してもよい。この場合、第１配管１８から凝縮器６へ流入する冷却媒体の流量を計測する第１流量計（図示せず）と、凝縮器６から流出する冷却媒体の流量を計測する第２流量計（図示せず）が設けられる。
【００６７】
（第４の実施形態）
図１１は、例示的なバイナリー発電用凝縮器６の洗浄システムＸ４の凝縮器６の通常運転時を示す概略構成図である。第４の実施形態のバイナリー発電用凝縮器６の洗浄システムＸ４は、凝縮器６内の冷却媒体の流れ方向を逆方向に切り替える切替手段５１として３方弁を用いている点で第１実施形態と相違している。その他の点については、第１実施形態と同様の構成を備えているので、第一実施形態と同一の符号を付して説明を省略する。
【００６８】
切替手段５１は、第１配管１８の第１部位ａに設けられた第１三方弁５１ａと、第２配管２３の第４部位ｄに設けられた第２三方弁５１ｂと、を備える。第１三方弁５１ａは、第１配管１８の流路と第３配管２４の流路を開閉することができる。第２三方弁５１ｂは、第２配管２３の流路と第４配管２５の流路を開閉することができる。
【００６９】
第４の実施形態のバイナリー発電用凝縮器６の洗浄システムＸ４は、次のように動作する。まず、作業者は、通常運転時において冷却媒体の流れが前記第１状態になるように、第１三方弁５１ａの第１配管１８の流路を開くとともに第３配管２４の流路を閉じ、かつ、第２三方弁５１ｂの第２配管２３の流路を開くとともに第４配管２５の流路を閉じる。そうすると、第４の実施形態のバイナリー発電用凝縮器６の洗浄システムＸ４は、冷却媒体が、第１配管１８から凝縮器６に流入し、第２配管２３へ流出する前記第１状態となる。
【００７０】
図１２は、例示的なバイナリー発電用凝縮器６の洗浄システムの凝縮器６の洗浄時を示す概略構成図である。通常運転時において一定時間が経過すると、作業者は、冷却媒体の流れを前記第２状態にするため、第１三方弁５１ａの第１配管１８の流路を閉じるとともに第３配管２４の流路を開き、かつ、第２三方弁５１ｂの第２配管２３の流路を閉じるとともに第４配管２５の流路を開く。そうすると、第４の実施形態のバイナリー発電用凝縮器６の洗浄システムＸ４は、冷却媒体が、第１配管１８から第３配管２４を経由して第２配管２３から凝縮器６に流入する前記第２状態になる。
【００７１】
第４の実施形態のバイナリー発電用凝縮器６の洗浄システムＸ４は、第１三方弁５１ａと第２三方弁５１ｂの２つのバルブで前記第１状態と前記第２状態とを切り替えることができるので、上記の第１〜第３の実施形態に比べて、切替操作が簡単である。
【００７２】
（第５の実施形態）
図１３は、例示的なバイナリー発電用凝縮器６の洗浄方法の凝縮器６の通常運転時を示す概略構成図である。第５の実施形態のバイナリー発電用凝縮器６の洗浄方法は、通常運転時において、第３配管２４と第４配管２５を備えていない点で、第１実施形態と相違する。さらに、第５の実施形態のバイナリー発電用凝縮器６の洗浄方法は、第１実施形態の切替手段２６に代えて、切替手段６１を備えている点で、第１実施形態と相違する。その他の点については、第１実施形態と同一の構成を備えているので、第１実施形態と同一の符号を付して説明を省略する。
【００７３】
第５の実施形態に係るバイナリー発電用凝縮器６の洗浄方法に使用される洗浄システムＸ５は、第１配管１８から分岐し、先端に第１継手６２ａを有する第１分岐配管６２と、第２配管２３から分岐し、先端に第２継手６３ａを有する第２分岐配管６３と、を備えている。第５の実施形態に係るバイナリー発電用凝縮器６の洗浄方法に使用される洗浄システムＸ５は、第１配管１８の第１分岐配管６２が位置する第１部位ａよりも冷却媒体の流れ方向における下流側の第２部位ｂから分岐し、先端に第３継手６４ａを有する第３分岐配管６４を備えている。第５の実施形態に係るバイナリー発電用凝縮器６の洗浄方法に使用される洗浄システムＸ５は、第２配管２３の第２分岐配管６３が位置する第３部位ｃよりも冷却媒体の流れ方向における下流側の第４部位ｄから分岐し、先端に第４継手６５ａを有する第４分岐配管６５と、を備えている。
【００７４】
切替手段６１は、第１配管１８の第１部位ａと第２部位ｂとの間に設けられた第５開閉弁６１ａと、第２配管２３の第３部位ｃと第４部位ｄとの間に設けられた第６開閉弁６１ｂと、を備えている。
【００７５】
第５の実施形態に係るバイナリー発電用凝縮器６の洗浄方法は、作業者は、通常運転時において冷却媒体の流れが前記第１状態になるように第５開閉弁６１ａを開き、第６開閉弁６１ｂを閉じる。そうすると、第５の実施形態に係るバイナリー発電用凝縮器６の洗浄方法に使用される洗浄システムＸ５は、冷却媒体が、第１配管１８から凝縮器６に流入し、第２配管２３へ流出する前記第１状態になる。このとき、第１〜第４分岐配管６２〜６５の第１〜第４継手６２ａ〜６５ｄは閉じられているので、冷却媒体が第１〜第４分岐配管６２〜６５から流出することはない。
【００７６】
図１４は、例示的なバイナリー発電用凝縮器６の洗浄方法の凝縮器６の洗浄時を示す概略構成図である。通常運転時において一定時間が経過すると、作業者は、冷却媒体の流れを前記第２状態にするため、以下の第１〜第４工程を行う。
【００７７】
まず、作業者は、第１配管１８の上流側に設けたポンプ（図示省略）を停止し、冷却媒体の流れを止める。次に、作業者は、第１分岐配管６２と第２分岐配管６３とを第１継手６２ａおよび第２継手６３ａを介して第３配管２４を接続する第１工程を行う。第１工程の後、作業者は、第３分岐配管６４と第４分岐配管６５とを第３継手６４ａおよび第４継手６５ａを介して第４配管２５を接続する第２工程を行う。第２工程の後、作業者は、第５開閉弁６１ａと第６開閉弁６１ｂとを閉じる第３工程を行う。最後に、作業者は、第１配管１８の上流側に設けたポンプ（図示省略）を作動し、冷却媒体を流す。
【００７８】
そうすると、冷却媒体の流れは、第１配管１８の第１部位ａと第２部位ｂとの間と第２配管２３の第３部位ｃと第４部位ｄとの間で止められる。そのため、冷却媒体は、第１配管１８、第１分岐配管６２、第３配管２４、第２分岐配管６３、第２配管２３、凝縮器６、第１配管１８、第３分岐配管６４、第４配管２５、第４分岐配管６５、第２配管２３の順に流れる。このようにして、冷却媒体の流れが前記第２状態へ切り替えられ、凝縮器６の洗浄がなされる。
【００７９】
凝縮器の洗浄時において一定時間が経過した後、作業者は、冷却媒体の流れを前記第１状態にするため、作業者は、第１配管１８の上流側に設けたポンプ（図示省略）を停止し、冷却媒体の流れを止める。その後、作業者は、第３配管と第４配管を取り外し、第１〜第４継手６２ａ〜６５ｄを閉じる。最後に、作業者は、第１配管１８の上流側に設けたポンプ（図示省略）を作動し、冷却媒体を流す。このようにして、作業者は、冷却媒体の流れを前記第２状態から前記第１状態に切り替える。
【００８０】
第５の実施形態のバイナリー発電用凝縮器６の洗浄方法は、前記第１工程から前記第３工程を経ることにより、熱交換部６ａから流入ヘッダ６ｂに向かう方向に冷却媒体の流れを切り替えることができるので、分岐口１１の周辺に付着した異物に分岐口１１から引き離す方向の力を作用させることができる。そのため、分岐口１１の周辺に付着した異物が分離しやすくなり、凝縮器６を分解しなくても異物の除去が可能である。
【００８１】
第５の実施形態のバイナリー発電用凝縮器６の洗浄方法は、凝縮器６内の冷却媒体の流路に目詰まりが生じない限り、作業者は、前記第１工程から前記第３工程をせずに済ますことができる。そのため、第５の実施形態のバイナリー発電用凝縮器６の洗浄方法は、設置コストを安く済ますことができる。
【００８２】
第５の実施形態に係るバイナリー発電用凝縮器６の洗浄方法は、第１〜第４分岐配管６５のそれぞれに冷却媒体の流路を開閉する開閉弁（図示省略）を設けてもよい。このようにすると、開閉弁を閉じる状態にしておけば、作業者は、冷却媒体の流れを止めることなく、第１分岐配管６２と第２分岐配管６３に第３配管２４を接続することができる。同様に、作業者は、冷却媒体の流れを止めることなく、第３分岐配管６４と第４分岐配管６５に第４配管２５を接続することができる。
【００８３】
上記の各実施形態では、第４配管２５に冷却媒体中の異物ｅを前記冷却媒体から除去するストレーナー２７を設けたが、ストレーナー２７は設けなくてもよい。この場合、冷却媒体中の異物ｅは冷却媒体とともに海や河川に放出される。そのため、凝縮器６内に付着した海洋生物などを海などに戻すことになり、環境にやさしい。
【符号の説明】
【００８４】
Ｘ１          バイナリー発電用凝縮器の洗浄システム
６            凝縮器
６ｂ          流入ヘッダ
６ａ          熱交換部
１８          第１配管
２３          第２配管
２４          第３配管
２５          第４配管
２６          切替手段
２７          ストレーナー
３１          第１圧力計
３２          第２圧力計
４１          第１温度計
４２          第２温度計
６２          第１分岐配管
６２ａ        第１継手
６３          第２分岐配管
６３ａ        第２継手
６４          第３分岐配管
６４ａ        第３継手
６５          第４分岐配管
６５ａ        第４継手
ａ            第１部位
ｂ            第２部位
ｃ            第３部位
ｄ            第４部位
【図１】
2018054254.tif 000003
【図２】
2018054254.tif 000004
【図３】
2018054254.tif 000005
【図４】
2018054254.tif 000006
【図５】
2018054254.tif 000007
【図６】
2018054254.tif 000008
【図７】
2018054254.tif 000009
【図８】
2018054254.tif 000010
【図９】
2018054254.tif 000011
【図１０】
2018054254.tif 000012
【図１１】
2018054254.tif 000013
【図１２】
2018054254.tif 000014
【図１３】
2018054254.tif 000015
【図１４】
2018054254.tif 000016